(57)【要約】【課題】撮像された動画像のデータを編集することなく、検査者が所望する音のみを、動画像に添付し記録することができる内視鏡装置を提供する。【解決手段】被写体を撮像するＣＣＤ３１と、ＣＣＤ３１にて撮像中の音を入力するマイク５１と、マイク５１に入力した音を再生するスピーカ１５と、ＣＣＤ３１において撮像した上記被写体の動画及び上記音を記録する記録媒体２１と、上記音の入力の有無を選択するモニタ４０と、を具備し、モニタ４０により、記録媒体２１に記録する上記動画に対する上記音の添付、非添付、または、スピーカ１５における上記動画中の音の再生、非再生を選択操作することを特徴とする。【選択図】図１
2006181111.tif 000002
【特許請求の範囲】
【請求項１】
被写体を撮像する動画撮像手段と、
上記動画撮像手段にて撮像中の音を入力する音入力手段と、
上記音入力手段に入力した音を再生する音再生手段と、
上記動画撮像手段において撮像した上記被写体の動画及び上記音を記録する記録手段と、
上記音の入力の有無を選択する選択手段と、
を具備し、
上記選択手段により、上記記録手段に記録する上記動画に対する上記音の添付、非添付、または、上記音再生手段における上記動画中の音の再生、非再生を選択操作することを特徴とする内視鏡装置。
【請求項２】
上記音入力手段に開閉スイッチが接続されており、該開閉スイッチは、上記選択操作により開閉されることを特徴とする請求項１に記載の内視鏡装置。
【請求項３】
上記選択手段はタッチパネルであり、上記選択操作は、上記タッチパネルに配設された選択スイッチにより行われることを特徴とする請求項１または２に記載の内視鏡装置。
【請求項４】
上記選択手段はリモコンであり、上記選択操作は、上記リモコンに配設された選択スイッチにより行われることを特徴とする請求項１または２に記載の内視鏡装置。
【請求項５】
上記選択手段による操作は、上記選択スイッチの長押し操作により行われることを特徴とする請求項３または４に記載の内視鏡装置。
【発明の詳細な説明】
【技術分野】
【０００１】
本発明は、音付き動画を記録する手段、または音付き動画の音を再生する手段を備える内視鏡装置に関する。
【背景技術】
【０００２】
周知のように、内視鏡は、医療分野及び工業用分野において広く利用されている。医療分野において用いられる内視鏡は、細長い挿入部を体腔内に挿入することによって、撮像された動画像から体腔内の臓器を観察したり、必要に応じて処置具の挿通チャンネル内に挿入した処置具を用いて各種処置をしたりすることができる。
【０００３】
また、工業用分野において用いられる内視鏡は、細長い挿入部をジェットエンジン内や、発電所の配管等に挿入することによって、撮像された動画像から被検部位の傷及び腐蝕等の観察や各種処置等を行うことができる。
【０００４】
上述した医療用の内視鏡及び工業用の内視鏡において撮像された動画像は、内視鏡に接続された装置本体等に配設された記録媒体に動画像データとして記録される。また、動画像のみならず、動画像中の音も音データとして記録媒体に記録できる、または動画像中の音が装置本体に設けられたスピーカから再生できる内視鏡装置も周知であり、例えば特許文献１に開示されている。
【０００５】
特許文献１に開示された内視鏡装置は、内視鏡画像の動画像を記録媒体に記録するに際し、動画像の記録と同期してマイク等から音が入力された場合は、該音のデータが動画像のデータに必ず添付された後、記録媒体に記録されるようになっている。
【０００６】
このような構成によれば、音声マイクが、例えば内視鏡装置に接続され該内視鏡装置の操作を行うリモコンに搭載されていれば、内視鏡挿入部を、例えば配管等に対して挿入して動画記録を行う場合、内視鏡挿入部が被検部位に達した際、検査者がリモコンに搭載された音声マイクに向かって被検部位のコメントを残す等の使用が出来るため、後に記録された動画像を確認する際、被検部位の特徴がわかり大変便利である。
【特許文献１】特開平１１−３２９８６号公報
【発明の開示】
【発明が解決しようとする課題】
【０００７】
ところで、工業用の内視鏡は、上述したように、ジェットエンジン等の周囲の雑音が大きい場所で使用される場合がある。この際、上述した特許文献１に開示された内視鏡装置のように、音声マイクから入力された音声のデータを、動画像のデータに必ず添付するような構成であると、不必要な周囲の雑音までもが、動画像データとともに記録媒体に記録されてしまう。
【０００８】
その結果、動画像を再生するに際し、検査者の重要なコメント以外に、不必要な周囲の雑音までもがスピーカから再生されてしまうため、再生された動画像をチェックする作用者にとって、大変不快である。
【０００９】
また、セキュリティ市場向けの内視鏡装置に、上述した特許文献１の内視鏡装置の構成を適用すると、動画像データを記録するに際し、検査者及び該検査者の周囲におる協力者の秘話会話の音声が動画とともに記録されてしまうため、動画像再生の際、スピーカから機密内容の音声が再生されてしまうといった不都合もある。
【００１０】
このような不具合に鑑み、動画像データとともに記録された音データを、別途編集して、必要な音以外はカットすることにより、上述した不具合を対策する手法も周知であるが、編集に費やす時間が膨大となってしまう。また、再編集が記録された画像データを編集することから、真のデータが失われてしまうことになり、動画像データの信憑性を失う、言い換えれば、内視鏡検査結果の信憑性を失うことにも繋がってしまうといった問題があった。
【００１１】
本発明は、上記問題点および上記事情に鑑みてなされたものであり、撮像された動画像のデータを編集することなく、検査者が所望する音のみを、動画像に添付し記録することができる内視鏡装置を提供することを目的とする。
【課題を解決するための手段】
【００１２】
上記目的を達成するために本発明による内視鏡装置は、被写体を撮像する動画撮像手段と、上記動画撮像手段にて撮像中の音を入力する音入力手段と、上記音入力手段に入力した音を再生する音再生手段と、上記動画撮像手段において撮像した上記被写体の動画及び上記音を記録する記録手段と、上記音の入力の有無を選択する選択手段と、を具備し、上記選択手段により、上記記録手段に記録する上記動画に対する上記音の添付、非添付、または、上記音再生手段における上記動画中の音の再生、非再生を選択操作することを特徴とする。
【発明の効果】
【００１３】
本発明の内視鏡装置によれば、撮像された動画像のデータを編集することなく、検査者が所望する音のみを、動画像に添付し記録することができる。
【発明を実施するための最良の形態】
【００１４】
以下、図面を参照して本発明の実施の形態を説明する。  
（第１実施の形態）
図１は、本発明の第１実施の形態を示す内視鏡装置の構成の概略を示したブロック図、図２は、図１中のリモコンを示す正面図、図３は、図１中のモニタの表示例を示す正面図である。
【００１５】
図１に示すように、内視鏡装置１は、装置本体１０と、該装置本体１０にそれぞれ接続された内視鏡３０とモニタ４０とリモコン５０とにより主要部が構成されている。装置本体１０に、開閉スイッチであるスイッチ（ＳＷ）１１と、音調整回路１２と、音制御回路１３と、音入出力回路１４と、音再生手段であるスピーカ１５と、画像処理回路１６と、画像制御回路１７と、画像入出力回路１８と、ＣＰＵ２０と、記録手段である記録媒体２１とが具備されている。
【００１６】
また、内視鏡３０に、被写体を撮像する動画撮像手段であるＣＣＤ３１が具備されており、さらに、リモコン５０に、ＣＣＤ３１にて被写体撮像中（以下、動画撮像中と称す）の音を入力する音入力手段であるマイクロフォン（ＭＩＣ）５１とＣＰＵ５２とが具備されている。尚、マイクロフォン５１は、装置本体１に具備されていても良いし、どこに配設されていても構わない。
【００１７】
リモコン５０の音を電気信号に変換するマイクロフォン（以下、マイクと称す）５１はスイッチ１１の端子に接続されており、該スイッチ１１の端子は音調整回路１２及びＣＰＵ２０に接続されており、また音調整回路１２は音制御回路１３に接続されている。さらに、音制御回路１３は音入出力回路１４に接続されており、音入出力回路１４はスピーカ１５に接続されている。
【００１８】
同様に、画像を電気信号に変換するＣＣＤ３１は、画像処理回路１６に接続されており、該画像処理回路１６は、画像制御回路１７に接続されている。さらに、画像制御回路１７は、画像入出力回路１８に接続されており、該画像入出力回路１８は、例えばＴＦＴタイプのＬＣＤ等で構成されているモニタ４０に接続されている。
【００１９】
動画撮像中にマイク５１に入力された音は、スイッチ１１がオンされた場合、音調整回路１２に入力される。音調整回路１２は、マイクアンプ，ローパスフィルタ，及びＡ／Ｄ変換器等（いずれも図示されず）により構成されている。マイクアンプで増幅されたアナログの音信号は、ローパスフィルタで不要な周波数帯域がカットされた後、Ａ／Ｄ変換器でデジタル信号に変換される。
【００２０】
上記音のデジタル信号は、音制御回路１３に入力される。音制御回路１３は、録音時にはＣＰＵ２０に制御されて音のデジタル信号をフレーム単位で所定の符号化フォーマットの音データに符号化、即ち圧縮する。そして、符号化された各データは、一時的にＣＰＵ２０の図示しないバッファメモリ及び記録媒体２１に記録される。
【００２１】
一方、再生時には、音制御回路１３は、ＣＰＵ２０に制御されて、このＣＰＵ２０の図示しないバッファメモリまたは記録媒体２１から音データをフレーム単位で復号化、即ち伸長する処理を行う。復号化された音のデジタル信号は、音入出力回路１４に入力される。
【００２２】
音入出力回路１４は、Ｄ／Ａ変換器、ローパスフィルタ、およびパワーアンプ等（いずれも図示されず）により構成されている。上記Ｄ／Ａ変換器でアナログ信号に変換された音信号は、上記ローパスフィルタにより不要な周波数帯域がカットされた後、上記パワーアンプにより増幅される。その後、音信号は、スピーカ１５から音として出力される。
【００２３】
同様に、内視鏡３０のＣＣＤ３１において撮像された、少なくとも動画像は、画像処理回路１６に入力される。画像処理回路１６は、アイリス、ゲイン、ホワイトバランス等の各制御回路およびＡ／Ｄ変換器等（いずれも図示されず）により構成されている。ＣＣＤ３１より出力された各画素信号は、画像処理回路１６によりデジタル信号に変換される。
【００２４】
上記動画像のデジタル信号は、画像制御回路１７に入力される。画像制御回路１７は、録音時にはＣＰＵ２０に制御されて上記画像のデジタル信号をフレーム単位で所定の符号化フォーマットの動画像データに符号化、即ち圧縮する。そして、符号化された動画像データは、一時的にＣＰＵ２０の図示しないバッファメモリ、及び記録媒体２１に記録される。
【００２５】
一方、再生時には、画像制御回路１７は、ＣＰＵ２０に制御されて、このＣＰＵ２０の図示しないバッファメモリまたは記録媒体２１から動画像データをフレーム単位で復号化、即ち伸長する処理を行う。復号化された動画像のデジタル信号は、画像入出力回路１８に入力される。
【００２６】
画像入出力回路１８は、ビデオ制御回路およびＤ／Ａ変換器等（いずれも図示されず）により構成されている。画像入出力回路１８によりアナログ信号に変換された動画像信号は、例えばＴＦＴ−ＬＣＤ等により構成されたモニタ４０に動画像として表示される。
【００２７】
音制御回路１３及び画像制御回路１７に、内視鏡装置１全体の制御を行うＣＰＵ２０が接続されており、該ＣＰＵ２０に、記録媒体２１とリモコン５０のＣＰＵ５２とが接続されている。
【００２８】
記録媒体２１は、不揮発性の半導体メモリ、例えばフラッシュメモリ等により構成されており、撮像された動画像データと該動画像中の音データとが記録される。尚、後述するが、スイッチ１１がオフの場合は、撮像された動画像データのみが記録される。また、その他のデータ等も記録されているが、既知のため詳細な説明は省略する。
【００２９】
図２に示すように、リモコン５０に、例えば内視鏡３０の図示しない湾曲部を湾曲させるジョイスティックと、モニタ４０上に各種内視鏡装置１が有するメニューアイコンを表示させるメニュースイッチ（ＭＥＮＵ）釦とが設けられている。
【００３０】
また、リモコン５０に、モニタ４０上の上記メニューアイコンを選択し決定するために用いられるレバースイッチと、動画像を録画するためモニタ４０上に録画選択ウインドウ４５（図３参照）を表示させるスイッチである録画スイッチ（ＲＥＣ）釦とが設けられている。
【００３１】
さらに、リモコン５０に、例えば撮像された動画像をモニタ４０上において静止させる静止スイッチ（ＦＲＥＥＺＥ）釦と、モニタ４０上に既知のサムネイル画像を表示させるインデックススイッチ（ＩＮＤＥＸ）釦と、内視鏡装置１のパワースイッチ（ＰＯＷＥＲ）釦とが設けられている。
【００３２】
リモコン５０に設けられた各スイッチからの出力は、リモコン５０内に配設されたＣＰＵ５２により、装置本体１のＣＰＵ２０に入力され、その後、各スイッチの機能に応じた動作が、ＣＰＵ２０の制御により行われる。
【００３３】
また、ＣＰＵ２０は、選択手段であるモニタ４０と接続されている。モニタ４０は、タッチパネル機能を有しており、モニタ４０から、後述する音入力有りのタッチパネル入力操作を受けて、ＣＰＵ２０は、スイッチ１１のオンまたはオフを行う機能を有している。
【００３４】
次に、このように構成された内視鏡装置１の作用について上述した図１〜図３、及び図４、図５を用いて説明する。図４は、音入力有りで動画像を撮像している際の図１中のモニタの表示例を示した図、図５は、音入力無しで動画像を撮像している際の図１中のモニタの表示例を示した図である。
【００３５】
先ず、図２のリモコン５０の録画スイッチ（ＲＥＣ）釦が押動操作されると、ＣＰＵ２０の制御により、図３に示すように、モニタ４０上に、録画選択ウインドウ（ＲＥＣＯＲＤＭＯＶＩＥ？）４５が表示される。
【００３６】
次いで、録画選択ウインドウ４５に表示されたメニューアイコンの内、例えば操作スイッチであるＹＥＳ（ＶＯＩＣＥ）釦４５ａが選択操作されると、該選択信号はＣＰＵ２０に入力され、その後、該ＣＰＵ２０の制御により内視鏡３０のＣＣＤ３１を用いた動画像の撮像が開始される。
【００３７】
また、ＣＣＤ３１を用いた動画像の撮像開始と同時に、ＣＰＵ２０は、スイッチ１１がオンとなるよう制御する。このことにより、リモコン５０のマイク５１から動画像を撮像している際の音が入力される。
【００３８】
尚、撮像された動画像は、上述したように、画像処理回路１６、画像制御回路１７、画像入出力回路１８で処理された後、モニタ４０に表示されるとともに、画像処理回路１６、画像制御回路１７で処理された後、記録媒体２１に記録される。
【００３９】
また、撮像された動画像中の音も、上述したように、音調整回路１２、音制御回路１３、音入出力回路１４で処理された後、スピーカ１５から出力されるとともに、音調整回路１２、音制御回路１３で処理された後、記録媒体２１に記録される。即ち音が入力された動画像（以下、音有り動画像と称す）が、記録媒体２１に記録される。
【００４０】
尚、音入力有りで動画像を撮像している最中は、図４に示すように、モニタ４０上に、ＭＯＶＩＥ（ＶＯＩＣＥ）の文字表示４８がなされる。このとこにより、使用者は、現在撮像している動画像が音有り動画像であることを容易に視認することができる。
【００４１】
また、このモニタ４０上の表示４８は、ＭＯＶＩＥ（ＶＯＩＣＥ）の文字に限らず、図６に示すように、マイク５１に音が入力されていることを示すＭＯＶＩＥ（ＭＩＣ）の文字でも良いし、使用者が視認できるものであれば、どのような文字であっても構わない。
【００４２】
さらには、文字に限らず、図７に示すように、マイクのキャラクタであっても良い。この場合であっても、使用者が視認できるものであれば、どのようなキャラクタであっても構わない。また、表示４８の色を変えることにより、使用者に音有り動画像であることを視認させても良い。
【００４３】
図３に戻って、録画選択ウインドウ４５の表示されたメニューアイコンの内、例えば操作スイッチであるＹＥＳ釦４５ｂが選択操作されると、該選択信号は、ＣＰＵ２０に入力され、該ＣＰＵ２０の制御により内視鏡３０のＣＣＤ３１を用いた動画像の撮像が開始される。
【００４４】
この際、ＣＰＵ２０は、スイッチ１１の制御を行わないため、スイッチ１１はオフのままとなる。このことにより、リモコン５０のマイクロフォン５１に、動画像を撮像している際の音は入力されない。
【００４５】
尚、撮像された音が入力されない動画像（以下、音無し動画像と称す）は、上述したように、画像処理回路１６、画像制御回路１７、画像入出力回路１８で処理された後、モニタ４０に表示されるとともに、画像処理回路１６、画像制御回路１７で処理された後、記録媒体２１に記録される。即ち音無し動画像が、記録媒体２１に記録される。
【００４６】
尚、音入力無しで動画像を撮像している最中は、図５に示すように、モニタ４０上に、ＭＯＶＩＥの文字表示４９がなされる。このとこにより、使用者は、現在撮像している動画像に、音無し動画像であることを表示４９から容易に視認することができる。
【００４７】
また、この場合であっても、このモニタ４０上の表示４９は、ＭＯＶＩＥの文字に限らず、図６に示すように、使用者が音無し動画像であることを視認できるものであれば、どのような文字であっても構わないし、さらに表示４９は、キャラクタ等であっても構わない。また、表示４９の色を変えることにより、使用者に音無し動画像であることを視認させても良い。
【００４８】
図３に戻って、録画選択ウインドウ４５の表示されたメニューアイコンの内、例えばＮＯ釦４５ｃが選択操作されると、該選択信号は、ＣＰＵ２０に入力され、該ＣＰＵ２０の制御により、モニタ４０上において、録画選択ウインドウ４５が非表示となり、内視鏡３０のＣＣＤ３１を用いた動画像の撮像がキャンセルされる。
【００４９】
このように、本発明の一実施の形態を示す内視鏡装置においては、マイク５１と音調整回路１２との間に、スイッチ１１を接続し、タッチパネル機能を有するモニタ４０からの出力信号により、音有り動画像を記録したい場合は、ＣＰＵ２０の制御によりスイッチ１１をオンにし、音無し動画像を記録したい場合は、スイッチ１１をオフのままとした。即ち、記録する動画像に音を入力するか否かをタッチパネルの選択操作により選択できるようにした。
【００５０】
このことにより、動画像を撮像する前に、記録される動画像に音が入力されるか否かを選択することができるので、撮像された動画像のデータを編集することなく、検査者が所望する音のみを、動画像に入力し記録することができる。言い換えれば音有り動画像データを選択的に記録することができる。
【００５１】
以下、変形例を示す。本実施の形態においては、音有り動画像を撮像するか、音無し動画像を撮像するかの選択は、タッチパネル機能を有するモニタ４０に表示された選択肢の選択操作により行われると示したが、これに限らず、装置本体１上に、別途選択スイッチを設けても本実施の形態と同様の効果を得ることができるということは云うまでもない。
【００５２】
さらに、図８に示すように、スイッチ１１は、リモコン５０側に設けてもよい。また、スイッチ１１は、装置本体１０の図９、図１０に示す位置に設けても良い。さらに、図１１に示すように、ＣＰＵ２０でのプログラム処理にて音有り動画像を撮像するか、音無し動画像を撮像するか選択できるようにすれば、内視鏡装置１にスイッチ１１を設けなくとも本実施の形態と同様の効果を得ることができる。
【００５３】
（第２実施の形態）
図１２は、本発明の第２実施の形態を示す内視鏡装置の構成の概略を示したブロック図である。  
この第２実施の形態の内視鏡装置２０１は、上記図１に示した内視鏡装置１と比して、音有り動画像を撮像するか、音無し動画像を撮像するかの選択を、モニタ４０上ではなく、リモコン５０に配設されたスイッチにより行う点のみが異なる。よって、この相違点のみを説明し、第１実施の形態と同様の構成には同じ符号を付し、その説明は省略する。
【００５４】
図１２に示すように、内視鏡装置２０１の選択手段であるリモコン５０に、音有り動画像を撮像するか、音無し動画像を撮像するかの選択するための選択スイッチ釦２５５が設けられている。選択スイッチ２５５は、装置本体１０のＣＰＵ２０と接続されている。また、その他の構成は、図１に示した第１実施の形態の内視鏡装置１と略同一である。
【００５５】
次に、このように構成された内視鏡装置２０１の作用について説明する。  
先ず、図２のリモコン５０の録画スイッチ釦が押動操作されると、ＣＰＵ２０の制御により、図３に示すように、モニタ４０上に、録画選択ウインドウ（ＲＥＣＭＯＶＩＥ？）４５が表示される。
【００５６】
次いで、録画選択ウインドウ４５の表示されたメニューアイコンの内、例えば操作スイッチであるＹＥＳ（ＶＯＩＣＥ）釦４５ａが選択操作されると、該選択信号は、ＣＰＵ２０に入力され、該ＣＰＵ２０の制御により内視鏡３０のＣＣＤ３１を用いた動画像の撮像が開始されると同時に、ＣＰＵ２０がスイッチ１１にオン信号を出力することにより、スイッチ１１がオンとなるよう制御される。このことにより、リモコン５０のマイク５１から動画像を撮像している際の音が入力される。即ち音有り動画像が記録され始める。
【００５７】
尚、撮像された動画像は、上述したように、モニタ４０に表示されるとともに記録媒体２１に記録され、撮像された動画像の音も、上述したように、スピーカ１５から出力されるとともに、記録媒体２１に記録される。即ち音有り動画像が、記録媒体２１に記録される。
【００５８】
また、本実施の形態においても、音入力有りで動画像を撮像している最中は、上述した図４、図６、図７に示すように、モニタ４０上に、音有り動画像を記録していることを使用者に視認させるための表示が、ＣＰＵ２０の制御により行われる。
【００５９】
その後、音無し動画像を記録したい状況下となったときは、リモコン５０の選択スイッチ釦２５５が長押し操作され続けられることにより、ＣＰＵ２０によりスイッチ１１の制御が解除される。即ち、スイッチ１１はオンからオフとなる。このことにより、リモコン５０のマイク５１に動画像を撮像している際の音が入力されなくなる。
【００６０】
尚、音入力無しで動画像を撮像している最中は、本実施の形態においても、図５に示すように、モニタ４０上に、音無し動画像を記録していることを使用者に視認させるための表示４９が、ＣＰＵ２０の制御により行われる。
【００６１】
その後、再び、音有り動画像を記録したい状況下となったときは、長押し操作され続けられているリモコン５０の選択スイッチ釦２５５の長押しが解除されることにより、スイッチ１１はＣＰＵ２０の制御によりオンとなり、音有り動画像が再び記録され始める。
【００６２】
このように、内視鏡装置２０１を構成しても、上述した第１実施の形態の内視鏡装置１と同様の効果を得ることができる。
【００６３】
以下、変形例を示す。  
本実施の形態においても、スイッチ１１は、装置本体１０に限らず、上述した図８に示すように、リモコン５０側に設けてもよいし、また、装置本体１０の図９、図１０に示す位置に設けてもよい。さらに、ＣＰＵ２０でのプログラム処理にて音有り動画像を撮像するか、音無し動画像を撮像するかを選択できるようにすれば、図１１と同様に、内視鏡装置２０１にスイッチ１１を設けなくともよい。
【００６４】
また、本実施の形態においては、モニタ４０上において、ＹＥＳ（ＶＯＩＣＥ）釦４５ａ（図３参照）が選択確定され、音有り動画像の撮像が行われた後、リモコン５０の選択スイッチ釦２５５が長押し操作され続けると、音有り動画像から切り替わり音無し動画像が撮像されると示した。
【００６５】
これに限らず、モニタ４０上において、ＹＥＳ釦４５ｂ（図３参照）が選択確定され入力され、音無し動画像の撮像が行われた後、リモコン５０の選択スイッチ釦２５５が長押し操作され続けると、音無し動画像から切り替わり、音有り動画像が撮像されるようにしても良い。
【００６６】
また、本実施の形態においては、音有り動画像を撮像する場合、または音無し動画像を撮像する場合、選択スイッチ釦２５５を長押し操作し続けると示した。これに限らず、選択スイッチ釦２５５の１回の入力操作により、音有り動画像を撮像する、または音無し動画像を撮像するようにしても良い。
【００６７】
さらには、装置本体１に任意にスイッチ釦を設け、モニタ４０上において、音有り動画像を撮像するか、音無し動画像を撮像するかが選択され入力された場合に、装置本体１の任意のスイッチ釦が押動操作されている場合にのみ、または任意のスイッチ釦が押動操作されていない場合にのみ、リモコン５０の選択スイッチ釦２５５からの入力を無効にするようにして、動画撮像中のリモコン５０からの誤操作を防止しても良い。
【００６８】
また、モニタ４０上において、ＹＥＳ釦（ＶＯＩＣＥ）釦４５ａが選択確定され入力され、音有り動画像の撮像が行われた後、ＹＥＳ釦４５ｂが長押し操作され続けると、音有り動画像から切り替わり音無し動画像が撮像されるような構成であってもよい。
【００６９】
さらに、モニタ４０上において、ＹＥＳ釦４５ｂが選択確定され入力され、音無し動画像の撮像が行われた後、ＹＥＳ釦４５ｂが長押し操作され続けると、音無し動画像から切り替わり音有り動画像が撮像されるような構成であってもよい。
【００７０】
また、選択スイッチ釦２５５は、リモコン５０に別個に設けずに、該リモコン５０に配設されている他の任意のスイッチ釦で兼用しても良い。
【００７１】
図１３は、モニタ４０上に言語（ＬＡＮＧＵＡＧＥ）ウインドウが表示された例を示す図、図１４は、モニタ４０上にＯＰＴＩＯＮウインドウが表示された例を示す図である。  
ところで、モニタ４０上に表示される文字、例えば図２に示すメニュースイッチ釦が押動操作された後に表示されるメニューアイコン等の文字は、従来、装置本体１０のＣＰＵ２０に接続された図示しないＦｌａｓｈＲＯＭにインストールされた、限定された言語のみしか選択することができなかった。
【００７２】
例えば図１３に示すように、英語（ＥＮＧＬＩＳＨ）、日本語、スペイン語、中国語、韓国語のみしか選択することができなかった。よって、上述した言語圏以外の使用者が、内視鏡装置を使用するに際し不都合が生じるため、内視鏡装置を出荷した後であっても、任意の言語を使用できることが望まれていた。
【００７３】
そこで、追加される任意の言語に対応するため、上記ＦｌａｓｈＲＯＭに、オプション言語用の領域を設け、さらに装置本体１０に、ＦｌａｓｈＲＯＭ書き込み用の外部接続ポートを設けることにより、この問題を解決する。
【００７４】
具体的には、先ず、装置本体１０に設けられたＦｌａｓｈＲＯＭ書き込み用の外部接続ポートに、任意言語、例えばフランス語が入力されたコンパクトフラッシュ（登録商標）等の記録媒体が接続されることにより、Ｆｌａｓｈ ＲＯＭのオプション言語用の領域に、フランス語が書き込まれる。
【００７５】
次いで、図２に示すメニュースイッチ釦が押動操作されると、モニタ４０上にメニューアイコン一覧が表示される。尚、この際のメニューアイコン一覧は、例えば英語で表示される。その後、メニューアイコン一覧から、言語（ＬＡＮＧＵＡＧＥ）釦１４１が選択操作されると、該選択により、図１３に示すように、モニタ４０上に、言語ウインドウ（ＬＡＮＧＵＡＧＥ）１４５が表示される。
【００７６】
この際、言語ウインドウ（ＬＡＮＧＵＡＧＥ）１４５に、上記ＦｌａｓｈＲＯＭにインストールされた言語、例えば英語（ＥＮＧＬＩＳＨ）、日本語、スペイン語、中国語、韓国語のメニューアイコンに加え、ＯＰＴＩＯＮ釦１４５ｅのアイコンが表示されている。
【００７７】
その後、リモコン５０に配設されたジョイスティックが操作されることにより、カーソル１４３が、ＯＰＴＩＯＮ釦１４５ｅに移動され、該ＯＰＴＩＯＮ釦１４５ｅが選択操作されると、図１４に示すように、ＯＰＴＩＯＮのウインドウ１４７にフランス語の釦１４７ｆが表示される。
【００７８】
最後に、フランス語の釦１４７ｆが選択操作されると、その後、モニタ４０に表示される言語は、全てフランス語で表示されるようになる。このことにより、言語ウインドウ（ＬＡＮＧＵＡＧＥ）１４５からＯＰＴＩＯＮ釦１４５ｅが選択されることにより、内視鏡装置において任意の言語を使用することができる。
【００７９】
図１５は、図１４のモニタ４０上にＴＩＴＬＥウインドウが表示された例を示す図である。  
ところで、従来、撮像された内視鏡画像に、タイトルを入力するに際し、タイトル入力できる文字数は、ある限定された文字数、具体的には、図１５に示すように、モニタ４０に表示されたタイトル入力ウインドウ２４５の入力領域に、１行のみしか入力することができず、各種データ等をタイトルにしたい場合等において、大変不便であった。
【００８０】
そこで、図１５に示すように、モニタ４０に表示されたタイトル入力ウインドウ２４５の入力領域２４５ｔへ入力できる文字数を増やすために、装置本体１０に設けられた上記ＦｌａｓｈＲＯＭのタイトルデータ領域を、約倍に増加することにより、入力領域２４５ｔに、２行入力できるようにした。
【００８１】
このことにより、撮像された内視鏡画像のタイトルに、各種データ等をタイトルにすることもできるため、内視鏡画像のデータ整理を容易に行うことができる。
【００８２】
図１６は、図１５のＴＩＴＬＥウインドウの表示領域が表示された例を示す図である。  
また、この際、タイトルを２行にすると、図１６に示すように、カーソル２４７を１行目から２行目に移動するに際し、従来は、リモコン５０の任意の釦を押し続けなければならず、大変煩雑で操作性が悪かった。
【００８３】
このような事情に鑑み、例えばリモコン５０に配設された静止スイッチ（ＦＲＥＥＺＥ）釦が押動操作されると、図１６に示すように、１行目から２行目にカーソル２４７が移動されるようにした。
【００８４】
このことによれば、タイトル入力の際の操作性を向上することができる。尚カーソル２７５の移動における操作性向上のための釦は、静止スイッチ釦（ＦＲＥＥＺＥ）に限らず、リモコン５０に配設された他の釦であっても構わないということは勿論である。
【００８５】
図１７は、モニタ４０上にコンペア画像が表示された例を示す図である。  
ところで、図１７に示すように、モニタ４０上に、現在撮像している内視鏡画像（以下、ライブ画像と称す）または内視鏡画像の静止画像（以下、フリーズ画像と称す）を表示する領域３４０と、記録媒体２１に記録されている以前に撮像した内視鏡画像の静止画像（以下、リトリーブ画像と称す）を表示する領域３４１とを設け、上記ライブ画像または上記フリーズ画像と上記リトリーブ画像とを１画面に並べて表示する、所謂コンペア画像３６０を、表示することが出来る内視鏡装置が周知である。尚、コンペア画像３６０に、例えば上記リトリーブ画像のフォルダ番号、ファイル番号、及び上記リトリーブ画像の日時、タイトルが表示される。
【００８６】
ところで、コンペア画像３６０は、上記ライブ画像または上記リトリーブ画像と上記フリーズ画像とを表示領域３４０，３４１にて切り換えて表示しているため、上記コンペア画像を記録媒体２１に記録することが困難であった。
【００８７】
しかしながら、図１７に示すように、例えば被検部位３６１の経年変化等を記録する等において、コンペア画像３６０を記録媒体２１に記録できるようにすることは、非常に有効な手段であるため、コンペア画像３６０の記録媒体２１への記録が望まれていた。
【００８８】
このような事情に鑑み、コンペア画像３６０を記録媒体２１に記録するための手段を図１８、図１９に示す。図１８は、コンペア画像を記録するための装置本体１内の回路を示すブロック図、図１９は、コンペア画像を記録するに際し、ＣＰＵ２０の動作制御を示したフローチャートである。
【００８９】
図１８に示すように、ＣＰＵ２０に接続されたデータバス３７０に、ＳＤＲＡＭ３７１と、記録媒体２１と、ＪＰＥＧ（画像圧縮）ＩＣ３７２とが接続されている。
【００９０】
コンペア画像３６０を記録媒体２１に記録するには、図１９に示すように、先ず、ステップＳ１において、記録媒体２１に記録されている以前に撮像された上記リトリーブ画像が読み出され、その後、ステップＳ２に移行する。
【００９１】
ステップＳ２では、読み出された上記リトリーブ画像が非圧縮画像（ＴＩＦＦ）であるか否かが判定される。上記リトリーブ画像が非圧縮画像でなければ、即ち圧縮されている画像であれば、ステップＳ３に分岐し、例えばＪＰＥＧ形式の圧縮が解凍された後、ステップＳ４に移行する。上記リトリーブ画像が非圧縮画像であれば、即ち圧縮されていない画像であれば、ステップＳ４に移行する。
【００９２】
ステップＳ４では、圧縮が解凍された、または圧縮されていない上記リトリーブ画像が、ＳＤＲＡＭ３７１に書き込まれた後、続くステップＳ５では、撮像された上記ライブ画像または上記フリーズ画像が読み込まれ、続くステップＳ６において、上記ライブ画像または上記フリーズ画像がＳＤＲＡＭ３７１に書き込まれる。その後、ステップＳ７に移行する。
【００９３】
ステップＳ７では、ＳＤＲＡＭ３７１に書き込まれた上記リトリーブ画像と、上記ライブ画像または上記フリーズ画像との２つの画像が合成処理されてコンペア画像３６０が形成される。その後、ステップＳ８に移行する。
【００９４】
ステップＳ８では、コンペア画像３６０が、ＪＰＥＧ（画像圧縮）ＩＣ３７２において圧縮処理され、最後にステップＳ９において、コンペア画像３６０として記録媒体２１に書き込まれる。
【００９５】
このことにより、コンペア画像３６０を記録媒体２１に書き込むことができる。
【図面の簡単な説明】
【００９６】
【図１】本発明の第１実施の形態を示す内視鏡装置の構成の概略を示したブロック図。
【図２】図１中のリモコンを示す正面図。
【図３】図１中のモニタの表示例を示す正面図。
【図４】音入力有りで動画像を撮像している際の図１中のモニタの表示例を示した図。
【図５】音入力無しで動画像を撮像している際の図１中のモニタの表示例を示した図
【図６】図４のモニタ表示例の変形例を示した図。
【図７】図４のモニタ表示例のさらに別の変形例を示した図。
【図８】図１の内視鏡装置の別の構成の概略を示したブロック図。
【図９】図１の内視鏡装置のさらに別の構成の概略を示したブロック図。
【図１０】図１の内視鏡装置のさらに別の構成の概略を示したブロック図。
【図１１】図１の内視鏡装置のさらに別の構成の概略を示したブロック図。
【図１２】本発明の第２実施の形態を示す内視鏡装置の構成の概略を示したブロック図。
【図１３】モニタ４０上に言語（ＬＡＮＧＵＡＧＥ）ウインドウが表示された例を示す図。
【図１４】モニタ４０上にＯＰＴＩＯＮウインドウが表示された例を示す図。
【図１５】モニタ４０上にＴＩＴＬＥウインドウが表示された例を示す図。
【図１６】図１５のＴＩＴＬＥウインドウの表示領域が表示された例を示す図。
【図１７】モニタ４０上にコンペア画像が表示された例を示す図。
【図１８】コンペア画像を記録するための装置本体１内の回路を示すブロック図。
【図１９】コンペア画像を記録するに際し、ＣＰＵの動作制御を示したフローチャート。
【符号の説明】
【００９７】
１…内視鏡装置
１１…スイッチ
１５…スピーカ
２１…記録媒体
３１…ＣＣＤ
４０…モニタ
４５ａ…ＹＥＳ（ＶＯＩＣＥ）釦
４５ｂ…ＹＥＳ釦
４５ｃ…ＮＯ釦
５０…リモコン
５１…マイクロフォン
２０１…内視鏡装置
２５５…選択スイッチ
代理人    弁理士    伊藤  進
【図１】
2006181111.tif 000003
【図２】
2006181111.tif 000004
【図３】
2006181111.tif 000005
【図４】
2006181111.tif 000006
【図５】
2006181111.tif 000007
【図６】
2006181111.tif 000008
【図７】
2006181111.tif 000009
【図８】
2006181111.tif 000010
【図９】
2006181111.tif 000011
【図１０】
2006181111.tif 000012
【図１１】
2006181111.tif 000013
【図１２】
2006181111.tif 000014
【図１３】
2006181111.tif 000015
【図１４】
2006181111.tif 000016
【図１５】
2006181111.tif 000017
【図１６】
2006181111.tif 000018
【図１７】
2006181111.tif 000019
【図１８】
2006181111.tif 000020
【図１９】
2006181111.tif 000021